(57)【要約】【課題】蒸発温度が異なるショーケースの蒸発器に共通の圧縮機から冷媒を供給するに際して、各ショーケースの冷却運転を支障無く実現しながら、運転効率を改善することができる冷凍装置を提供する。【解決手段】圧縮機３及び蒸発器６から構成される冷媒回路Ｒの低圧圧力とその低圧圧力設定値に基づいて圧縮機の運転を制御すると共に、各ショーケース２Ａ〜２Ｄの運転を集中制御するためのメインコントローラ１１を備え、このメインコントローラ１１は、各ショーケースを蒸発温度でグループ分けし、各グループのショーケースの運転状況に基づき、蒸発器に冷媒が供給されているグループの蒸発温度に適した値に低圧圧力設定値を変更する。【選択図】図１
2014219149.tif 000002
【特許請求の範囲】
【請求項１】
共通の圧縮機から蒸発器における冷媒の蒸発温度が異なる複数のショーケースに冷媒を供給して冷却する冷凍装置において、
前記圧縮機及び蒸発器から構成される冷媒回路の低圧圧力とその低圧圧力設定値に基づいて前記圧縮機の運転を制御すると共に、前記各ショーケースの運転を集中制御するための制御手段を備え、
該制御手段は、前記各ショーケースを前記蒸発温度でグループ分けし、各グループのショーケースの運転状況に基づき、前記蒸発器に冷媒が供給されているグループの蒸発温度に適した値に前記低圧圧力設定値を変更することを特徴とする冷凍装置。
【請求項２】
前記制御手段は、前記蒸発器への冷媒供給が前記各グループ単位で行われ、且つ、消費電力が削減される方向で、各グループ単位の運転スケジュールを作成することを特徴とする請求項１に記載の冷凍装置。
【請求項３】
前記制御手段は、前記各グループのショーケースの蒸発器への冷媒供給が、各グループ単位で時系列的に分離される前記運転スケジュールを作成することを特徴とする請求項２に記載の冷凍装置。
【請求項４】
前記制御手段は、複数の前記グループのショーケースの蒸発器への冷媒供給を同時に行う必要がある場合、前記蒸発温度が近いグループのショーケースの蒸発器への冷媒供給が同時に行われる前記運転スケジュールを作成することを特徴とする請求項２に記載の冷凍装置。
【請求項５】
前記制御手段は、複数の前記グループのショーケースの蒸発器への冷媒供給を同時に行う場合、低い方の前記グループの蒸発温度に適した値に前記低圧圧力設定値を変更することを特徴とする請求項４に記載の冷凍装置。
【請求項６】
前記制御手段は、前記蒸発温度が低い前記グループのショーケースの蒸発器への冷媒供給を、より蒸発温度が高い前記グループのショーケースの蒸発器への冷媒供給に加えて行う必要がある場合、前記低い蒸発温度よりも高い蒸発温度に適した値に前記低圧圧力設定値を変更することを特徴とする請求項４に記載の冷凍装置。
【請求項７】
前記制御手段は、全ての前記グループのショーケースの蒸発器への冷媒供給が同時に行われる前記運転スケジュールを作成することを特徴とする請求項２に記載の冷凍装置。
【請求項８】
前記制御手段は、前記各グループの蒸発温度と、各グループを構成する前記ショーケースの庫内温度の状況、運転率、霜取運転の状況のうちの何れか、若しくは、全てを含む運転状況との組み合わせに基づいて前記運転スケジュールを作成することを特徴とする請求項２乃至請求項７のうちの何れかに記載の冷凍装置。
【請求項９】
前記制御手段は、前記運転スケジュールの作成処理として遺伝的アルゴリズムを行うことを特徴とする請求項２乃至請求項８のうちの何れかに記載の冷凍装置。
【請求項１０】
前記制御手段は、メインコントローラと、前記各ショーケースにそれぞれ設けられたショーケースコントローラと、前記圧縮機を備える冷凍機に設けられた冷凍機コントローラとから構築され、
前記メインコントローラは前記各ショーケースコントローラと冷凍機コントローラから前記運転状況に関するデータを受信し、それらに前記運転スケジュール及び低圧圧力設定値を含む運転指示データを送信することにより、前記各ショーケース及び冷凍機を集中制
御することを特徴とする請求項２乃至請求項９のうちの何れかに記載の冷凍装置。
【発明の詳細な説明】
【技術分野】
【０００１】
本発明は、複数のショーケースに共通の圧縮機から冷媒を供給して冷却する冷凍装置に関するものである。
【背景技術】
【０００２】
従来よりスーパーマーケット等の店内には複数のショーケースが設置され、食材や総菜等の食品や飲料等の冷蔵商品や、冷凍食品等の冷凍商品を冷却しながら陳列販売している。各ショーケースには店外等に設置された冷凍機の圧縮機から冷媒が供給されるが、その場合、冷凍機と複数のショーケースが冷媒配管により接続されて一つの系統を構成し、共通の圧縮機から複数のショーケースの蒸発器に冷媒が分配供給されるように構成とされている（例えば、特許文献１参照）。
【０００３】
また、各ショーケースの庫内温度の制御はそれぞれに設けられたショーケースコントローラが実行すると共に、圧縮機の運転制御は、冷凍機に設けられた冷凍機コントローラが実行する。この場合、冷凍機コントローラは圧縮機や各ショーケースの蒸発器により構成される冷媒回路の低圧圧力を所定の低圧圧力設定値に制御するように圧縮機の運転周波数（回転数）を制御するように構成されていた（例えば、特許文献２参照）。
【先行技術文献】
【特許文献】
【０００４】
【特許文献１】特開２００１−３３１３８号公報
【特許文献２】特開２００１−２７２１４９号公報
【発明の概要】
【発明が解決しようとする課題】
【０００５】
ここで、ショーケースの蒸発器における冷媒の蒸発温度は、陳列する商品によってその要求される温度が異なり、冷蔵商品を陳列する冷蔵ショーケースの場合には高く（例えば０℃等）、冷凍商品を陳列する冷凍ショーケースの場合には低くなる（例えば−２０℃等）。また、蒸発器において要求される冷媒の蒸発温度を実現するためには、そのための低圧圧力が必要となり、例えば、冷蔵ショーケースの場合には低圧圧力は高くて済むが、冷凍ショーケースの場合には低くしなければならない。
【０００６】
この場合、同一系統に冷蔵ショーケースのみ、或いは、冷凍ショーケースのみが接続されるときには、全てのショーケースの蒸発器で要求される冷媒の蒸発温度は同一になると考えられるため、それに適した低圧圧力設定値に固定して圧縮機の運転を制御すれば良いが、冷蔵と冷凍の違いだけでなく、冷蔵商品でも温度帯の高いもの（日配品や飲料等）と低いもの（精肉や鮮魚等）が存在し、それぞれで要求される蒸発温度も異なる（低いものは−１０℃等）。そして、このような異なる蒸発温度のショーケースが同一の系統に接続される場合には、例えば、冷凍ショーケースが接続されているのであれば、この最も低い温度が要求される冷凍ショーケースの蒸発温度に適した低圧圧力設定値にしなければならない。
【０００７】
しかしながら係る低圧圧力設定値は、より蒸発温度が高い冷蔵ショーケースにとっては過剰であり、前述した特許文献１のナイトカバーがかけられた場合のように、消費電力が増大して運転効率が著しく低下すると共に、冷蔵ショーケースの庫内が過冷却されたり、環境条件によっては、逆に冷媒流量が著しく低下して冷却不良に陥るという問題が発生する。
【０００８】
本発明は、係る従来の技術的課題を解決するために成されたものであり、蒸発温度が異なるショーケースの蒸発器に共通の圧縮機から冷媒を供給するに際して、各ショーケースの冷却運転を支障無く実現しながら、運転効率を改善することができる冷凍装置を提供するものである。
【課題を解決するための手段】
【０００９】
上記課題を解決するために、本発明の冷凍装置は、共通の圧縮機から蒸発器における冷媒の蒸発温度が異なる複数のショーケースに冷媒を供給して冷却するものであって、圧縮機及び蒸発器から構成される冷媒回路の低圧圧力とその低圧圧力設定値に基づいて圧縮機の運転を制御すると共に、各ショーケースの運転を集中制御するための制御手段を備え、この制御手段は、各ショーケースを蒸発温度でグループ分けし、各グループのショーケースの運転状況に基づき、蒸発器に冷媒が供給されているグループの蒸発温度に適した値に低圧圧力設定値を変更することを特徴とする。
【００１０】
請求項２の発明の冷凍装置は、上記発明において制御手段は、蒸発器への冷媒供給が各グループ単位で行われ、且つ、消費電力が削減される方向で、各グループ単位の運転スケジュールを作成することを特徴とする。
【００１１】
請求項３の発明の冷凍装置は、上記発明において制御手段は、各グループのショーケースの蒸発器への冷媒供給が、各グループ単位で時系列的に分離される運転スケジュールを作成することを特徴とする。
【００１２】
請求項４の発明の冷凍装置は、請求項２の発明において制御手段は、複数のグループのショーケースの蒸発器への冷媒供給を同時に行う必要がある場合、蒸発温度が近いグループのショーケースの蒸発器への冷媒供給が同時に行われる運転スケジュールを作成することを特徴とする。
【００１３】
請求項５の発明の冷凍装置は、上記発明において制御手段は、複数のグループのショーケースの蒸発器への冷媒供給を同時に行う場合、低い方のグループの蒸発温度に適した値に低圧圧力設定値を変更することを特徴とする。
【００１４】
請求項６の発明の冷凍装置は、請求項４の発明において制御手段は、蒸発温度が低いグループのショーケースの蒸発器への冷媒供給を、より蒸発温度が高いグループのショーケースの蒸発器への冷媒供給に加えて行う必要がある場合、低い蒸発温度よりも高い蒸発温度に適した値に低圧圧力設定値を変更することを特徴とする。
【００１５】
請求項７の発明の冷凍装置は、請求項２の発明において制御手段は、全てのグループのショーケースの蒸発器への冷媒供給が同時に行われる運転スケジュールを作成することを特徴とする。
【００１６】
請求項８の発明の冷凍装置は、請求項２乃至請求項７の発明において制御手段は、各グループの蒸発温度と、各グループを構成するショーケースの庫内温度の状況、運転率、霜取運転の状況のうちの何れか、若しくは、全てを含む運転状況との組み合わせに基づいて運転スケジュールを作成することを特徴とする。
【００１７】
請求項９の発明の冷凍装置は、請求項２乃至請求項８の発明において制御手段は、運転スケジュールの作成処理として遺伝的アルゴリズムを行うことを特徴とする。
【００１８】
請求項１０の発明の冷凍装置は、請求項２乃至請求項９の発明において制御手段は、メ
インコントローラと、各ショーケースにそれぞれ設けられたショーケースコントローラと、圧縮機を備える冷凍機に設けられた冷凍機コントローラとから構築され、メインコントローラは各ショーケースコントローラと冷凍機コントローラから運転状況に関するデータを受信し、それらに運転スケジュール及び低圧圧力設定値を含む運転指示データを送信することにより、各ショーケース及び冷凍機を集中制御することを特徴とする。
【発明の効果】
【００１９】
本発明によれば、共通の圧縮機から蒸発器における冷媒の蒸発温度が異なる複数のショーケースに冷媒を供給して冷却する冷凍装置において、圧縮機及び蒸発器から構成される冷媒回路の低圧圧力とその低圧圧力設定値に基づいて圧縮機の運転を制御すると共に、各ショーケースの運転を集中制御するための制御手段を備え、この制御手段は、各ショーケースを蒸発温度でグループ分けし、各グループのショーケースの運転状況に基づき、蒸発器に冷媒が供給されているグループの蒸発温度に適した値に低圧圧力設定値を変更するようにしたので、冷媒が供給されているショーケースのグループの蒸発温度に適した低圧圧力設定値とすることができるようになる。
【００２０】
これにより、蒸発器における冷媒の蒸発温度が異なる複数のショーケースに共通の圧縮機から冷媒を供給する場合にも、各ショーケースの冷却運転を支障無く実行しながら、過剰に低い低圧圧力で運転されることによる運転効率の低下を解消若しくは抑制することができるようになるものである。
【００２１】
特に、請求項２の発明の如く制御手段が、蒸発器への冷媒供給が各グループ単位で行われ、且つ、消費電力が削減される方向で、各グループ単位の運転スケジュールを作成するようにすれば、消費電力が削減されるように積極的に各グループのショーケースの蒸発器への冷媒供給をスケジュールし、効果的な運転効率の向上を実現することが可能となる。
【００２２】
この場合、請求項３の発明の如く制御手段が、各グループのショーケースの蒸発器への冷媒供給が、各グループ単位で時系列的に分離されるような運転スケジュールを作成するようにすれば、各グループの蒸発温度に適した低圧圧力設定値への切り換えを的確に実行することができるようになる。
【００２３】
また、請求項４の発明の如く複数のグループのショーケースの蒸発器への冷媒供給を同時に行う必要がある場合、制御手段が、蒸発温度が近いグループのショーケースの蒸発器への冷媒供給が同時に行われる運転スケジュールを作成するようにすれば、請求項３の発明の如く各グループのショーケースの蒸発器への冷媒供給を時系列的に分離できない場合にも、蒸発温度が近いグループのショーケースの蒸発器への冷媒供給を同時に行うことによって、できるだけ適切な低圧圧力設定値による圧縮機の運転制御を実現することが可能となる。
【００２４】
そのように複数のグループのショーケースの蒸発器への冷媒供給を同時に行う場合、請求項５の発明の如く制御手段により、低い方のグループの蒸発温度に適した値に低圧圧力設定値を変更するようにすれば、より低い蒸発温度を必要とするショーケースの冷却運転も支障無く実行することが可能となる。
【００２５】
一方、例えば蒸発温度が低いグループのショーケースの運転率が高い状況では、当該グループのショーケースの蒸発器への冷媒供給を、より蒸発温度が高いグループのショーケースの蒸発器への冷媒供給に加えて行う方が、蒸発温度が低いグループの運転効率は高くなるが、係る場合には、請求項６の発明の如く制御手段が、前記低い蒸発温度よりも高い蒸発温度に適した値に低圧圧力設定値を変更することにより、蒸発温度が高いグループの運転効率の低下も抑制することができるようになり、総じて高い運転効率を実現すること
が可能となる。
【００２６】
他方、冬季等に運転率が低下する状況では、圧縮機の運転／停止を頻繁に行うよりも、請求項７の発明の如く制御手段により、全てのグループのショーケースの蒸発器への冷媒供給が同時に行われる運転スケジュールを作成することで、運転効率の改善を図ることができるようになる。
【００２７】
そして、請求項８の発明の如く制御手段により、各グループの蒸発温度と、各グループを構成するショーケースの庫内温度の状況、運転率、霜取運転の状況のうちの何れか、若しくは、全てを含む運転状況との組み合わせに基づいて運転スケジュールを作成するようにし、更に、請求項９の発明の如く運転スケジュールの作成処理として遺伝的アルゴリズムを行うことで、より的確な運転スケジュールの作成を実現することが可能となる。
【００２８】
更に、請求項１０の発明の如く制御手段を、メインコントローラと、各ショーケースにそれぞれ設けられたショーケースコントローラと、圧縮機を備える冷凍機に設けられた冷凍機コントローラとから構築し、メインコントローラが各ショーケースコントローラと冷凍機コントローラから運転状況に関するデータを受信し、それらに運転スケジュール及び低圧圧力設定値を含む運転指示データを送信することにより、各ショーケース及び冷凍機を集中制御するようにすれば、複数のショーケースと共通の圧縮機を備える冷凍機とから構成される冷凍装置の運転効率の改善を的確、且つ、円滑に実現することが可能となるものである。
【図面の簡単な説明】
【００２９】
【図１】本発明を適用した実施例の冷凍装置の配管構成と通信回線の構成を説明する図である。
【図２】図１のメインコントローラの動作を説明するフローチャートである。
【図３】図１のメインコントローラにより作成される運転スケジュールの一実施例を示す図である。
【図４】図１の冷凍装置のｐ−ｈ線図である。
【図５】図１のメインコントローラにより作成される運転スケジュールの他の実施例を示す図である。
【図６】図１のメインコントローラにより作成される運転スケジュールのもう一つの他の実施例を示す図である。
【図７】同じく図１のメインコントローラにより作成される運転スケジュールのもう一つの他の実施例を示す図である。
【発明を実施するための形態】
【００３０】
以下、図面に基づいて本発明の実施の形態について、詳細に説明する。
【実施例１】
【００３１】
図１は実施例の冷凍装置１の配管構成と通信回線の構成を示している。この図において、冷凍装置１は例えばコンビニエンスストア等の店舗の店内（売場内）に設置された四台のショーケース２Ａ、２Ｂ、２Ｃ、２Ｄと、圧縮機３等を備えて店外に設置された冷凍機４とから構成されている。各ショーケース２Ａ〜２Ｄはそれぞれ蒸発器６、膨張弁（電子膨張弁）７及び図示しない冷気循環用送風機等を備えており、冷凍機４には圧縮機３の他に図示しない凝縮器や凝縮器用送風機等が設けられている。尚、実施例では単一の圧縮機３で示すが、複数台の圧縮機で図１の圧縮機３を構成しても良い。
【００３２】
圧縮機３の吐出側には凝縮器が接続され、この凝縮器に高圧配管（冷媒配管）８が接続されている。各ショーケース２Ａ〜２Ｄの蒸発器６の入口はそれぞれ膨張弁７を介して高
圧配管８に並列に接続され、蒸発器６の出口は低圧配管（冷媒配管）９を介して圧縮機３の吸込側に接続される。これにより、冷凍装置１の周知の冷媒回路Ｒが構成されている。
【００３３】
そして、圧縮機３から吐出された高温高圧の冷媒（例えば、Ｒ４０４ａ等）は凝縮器にて空冷された後、冷凍機４から出て高圧配管８に入り、この高圧配管８を経て各ショーケース２Ａ〜２Ｄに分配供給される。この共通の圧縮機３から各ショーケース２Ａ〜２Ｄに分配供給された冷媒は、各膨張弁７にて絞られた後、蒸発器６に流入してそれぞれ蒸発する。このときの吸熱作用で前記冷気循環用送風機により循環される空気を冷却し、この冷却された冷気を庫内に循環させることにより、各ショーケース２Ａ〜２Ｄの庫内は冷却される。
【００３４】
蒸発器６で蒸発した冷媒は、その後低圧配管９を経て冷凍機４に入り、圧縮機３に吸い込まれる循環を繰り返す。各ショーケース２Ａ〜２Ｄにはマイクロコンピュータから成るショーケースコントローラ１２がそれぞれ設けられており、各ショーケースコントローラ１２は、後述するメインコントローラ１１からの運転指示データと、自らの庫内温度等を検出する図示しない庫内温度センサの出力に基づいて膨張弁７の弁開度や前記冷気循環用送風機の運転を制御すると共に、蒸発器６における冷媒の蒸発温度を制御する。
【００３５】
この場合、ショーケース２Ａ、２Ｂは例えば日配品や飲料等の冷蔵商品を冷却しながら陳列販売する冷蔵ショーケースであり、ショーケース２Ａ、２Ｂのショーケースコントローラ１２は、庫内温度が平均として例えば設定温度の＋１０℃（ディファレンシャルは４ｄｅｇで上限温度＋１２℃、下限温度＋８℃）となり、蒸発器６における冷媒の蒸発温度が、当該庫内温度を実現可能な例えば０℃となるように全閉から制御上限開度の間で膨張弁７の弁開度を制御する。
【００３６】
また、ショーケース２Ｃは例えば精肉や鮮魚等の冷蔵商品を冷却しながら陳列販売する冷蔵ショーケースであり、ショーケース２Ｃのショーケースコントローラ１２は、庫内温度が平均として例えば設定温度の＋５℃（ディファレンシャルは４ｄｅｇで上限温度＋７℃、下限温度＋３℃）となり、蒸発器６における冷媒の蒸発温度が、当該庫内温度を実現可能な例えば−１０℃となるように全閉から制御上限開度の間で膨張弁７の弁開度を制御する。
【００３７】
また、ショーケース２Ｄはアイスクリームや冷凍食品等の冷凍商品を冷却しながら陳列販売する冷凍ショーケースであり、ショーケース２Ｄのショーケースコントローラ１２は、庫内温度が平均として例えば−１０℃（ディファレンシャルは２ｄｅｇで上限温度−９℃、下限温度−１１℃）となり、蒸発器６における冷媒の蒸発温度が、当該庫内温度を実現可能な例えば−２０℃となるように全閉から制御上限開度の間で膨張弁７の弁開度を制御する。
【００３８】
更に、冷凍機４にもマイクロコンピュータから成る冷凍機コントローラ１３が設けられており、この冷凍機コントローラ１３は、後述するメインコントローラ１１からの運転指示データと、低圧配管９から圧縮機３の吸込側に至る冷媒回路Ｒの低圧圧力を検出する図示しない低圧圧力センサの出力に基づいて圧縮機３の運転周波数（回転数）を制御する。
【００３９】
この場合、冷凍機コントローラ１３はメインコントローラ１１から送信された低圧圧力設定値と前記低圧圧力センサが検出した低圧圧力（実測値）とに基づき、低圧圧力が低圧圧力設定値より高い場合は圧縮機３の運転周波数を上昇させ、低い場合には低下させる方向で圧縮機３の運転を制御することにより、低圧圧力を低圧圧力設定値に制御すると共に、全ショーケース２Ａ〜２Ｄの膨張弁７が全閉とされた場合には圧縮機３を停止する。
【００４０】
前記メインコントローラ１１は、店舗の管理室等に設置されたストアマスターと称される集中コントローラであり、マイクロコンピュータから構成される。このメインコントローラ１１には、通信線１４により各ショーケースコントローラ１２及び冷凍機コントローラ１３が接続され、メインコントローラ１１と各ショーケースコントローラ１２との間、及びメインコントローラ１１と冷凍機コントローラ１３との間でデータの送受信が行われる。これらメインコントローラ１１、各ショーケースコントローラ１２及び冷凍機コントローラ１３により本発明における制御手段が構築される。
【００４１】
この場合、メインコントローラ１１は各ショーケースコントローラ１２及び冷凍機コントローラ１３に予め割り付けられたＩＤを用いてそれら各ショーケースコントローラ１２、冷凍機コントローラ１３を識別する。そして、各ショーケースコントローラ１２及び冷凍機コントローラ１３からＩＤと共に送信されて来る運転状況に関するデータ（ショーケース２Ａ〜２Ｄの場合には庫内温度の状況、運転率（一定期間中における全期間に対し、膨張弁７が開いて冷媒が蒸発器６に供給されている期間の割合）、蒸発器６の霜取運転の状況等の情報、冷凍機４の場合には圧縮機３の運転状況や低圧圧力の状況等の運転情報）を受信し、それらを管理する。
【００４２】
また、メインコントローラ１１は要求蒸発温度のデータとして各ショーケース２Ａ〜２Ｄの蒸発器６における冷媒の蒸発温度（ショーケース２Ａ、２Ｂの場合は前記０℃、ショーケース２Ｃの場合は前記−５℃、ショーケース２Ｄの場合は前記−２０℃）を保有しており、各ショーケースコントローラ１２宛に設定温度やディファレンシャル（上限温度、下限温度）から成る協調指示のための運転指示データを送信すると共に、現在の蒸発温度を各ショーケースコントローラ１２に配信する。
【００４３】
更に、メインコントローラ１１は前記各蒸発温度を実現するために適した低圧圧力設定値に関するデータを保有しており、各ショーケース２Ａ〜２Ｄの運転状況に基づいて冷凍機コントローラ１３に低圧圧力設定値を運転指示データ（低圧指示値）として送信する。この蒸発温度に適した低圧圧力設定値とは、各ショーケース２Ａ〜２Ｄの蒸発器６において前述した蒸発温度を実現するために必要にして十分（最適）な低圧圧力であり、蒸発温度０℃については例えば０．５ＭＰａ、蒸発温度−１０℃については０．４ＭＰａ、蒸発温度−２０℃については例えば０．３ＭＰａとされ（蒸発温度が低下する程、低くなる）、メインコントローラ１１が保有している。
【００４４】
ここで、図４は冷凍装置１の冷媒回路Ｒのｐ−ｈ線図を示している。このｐ−ｈ線図によれば、蒸発温度０℃の場合の低圧圧力は０．５ＭＰａとなっており、冷凍仕事の比エンタルピはｈｏ（１）となり、圧縮仕事の比エンタルピはｈｉ（１）となる。蒸発温度−１０℃の場合の低圧圧力は０．４ＭＰａとなっており、冷凍仕事の比エンタルピはｈｏ（２）となり、圧縮仕事の比エンタルピはｈｉ（２）となる。また、蒸発温度−２０℃の場合の低圧圧力は０．３ＭＰａとなっており、冷凍仕事の比エンタルピはｈｏ（３）となり、圧縮仕事の比エンタルピはｈｉ（３）となる。尚、この図における（１）〜（３）は後述するグループ（１）〜（３）にそれぞれ対応している。
【００４５】
この図において重要なことは、例えば蒸発器６における冷媒の蒸発温度０℃のショーケース２Ａ、２Ｂを、低圧圧力０．３ＭＰａで運転した場合の圧縮仕事の比エンタルピｈｉ（３）よりも、低圧圧力０．５ＭＰａで運転した場合の圧縮仕事の比エンタルピｈｉ（１）の方が小さいことである。即ち、低圧圧力０．５ＭＰａで実現可能な蒸発温度０℃のショーケース２Ａ、２Ｂを、低圧圧力０．３ＭＰａで運転した場合には、非効率となることが分かる。即ち、ショーケース２Ａ、２Ｂの蒸発器６に冷媒を供給する際には、低圧圧力設定値を０．５ＭＰａとし、ショーケース２Ｃの蒸発器６に冷媒を供給する際には、低圧圧力設定値を０．４ＭＰａとし、ショーケース２Ｄの蒸発器６に冷媒を供給する際には、
低圧圧力設定値を０．３ＭＰａとすることが、最も理想的であることが分かる。
【００４６】
一方、各ショーケースコントローラ１２は、メインコントローラ１１から自ら宛に送信された運転指示データ中の設定温度やディファレンシャル（上限温度、下限温度）に基づいて前述したように膨張弁７や前記冷気循環送風機を制御する。また、冷凍機コントローラ１３は、メインコントローラ１１から送信された運転指示データ中の低圧圧力設定値（低圧指示値）に基づいて前述したように圧縮機３の運転を制御する。これらにより、実施例の冷凍装置１ではメインコントローラ１１により各ショーケース２Ａ〜２Ｄ及び冷凍機４を集中制御することができるように構成されている。
【００４７】
次に、メインコントローラ１１による冷凍装置１の協調制御について図２〜図７を参照しながら説明する。先ず、メインコントローラ１１は各ショーケース２Ａ〜２Ｄの蒸発器６における前述した冷媒の蒸発温度（要求蒸発温度）に基づき、各ショーケースをグループ分けする。実施例では蒸発温度が何れも０℃の冷蔵のショーケース２Ａ及び２Ｂをグループ（１）、蒸発温度が−１０℃の冷蔵のショーケース２Ｃをグループ（２）、蒸発温度が−２０℃の冷凍のショーケース２Ｄをグループ（３）と定義し、当該グループの情報を保有する。
【００４８】
次に、メインコントローラ１１は所定時間毎（例えば５分等）に図２のステップＳ１で、各ショーケース２Ａ〜２Ｄの過去の一定期間中の運転状態から今後の稼働状態を予測する。この予測に用いるデータとしては各ショーケース２Ａ〜２Ｄの前記要求蒸発温度、参考として設定温度及びディファレンシャル（上限温度、下限温度）、庫内温度上昇と下降の勾配（初期値とメインコントローラ１１或いはショーケースコントローラ１２が算出した実測値）、前記運転率（平均値）、前回の霜取時刻等である。今後の稼働状態とは、これからの一定期間中における次回の冷媒供給（オン）時刻である。尚、稼働状態とはショーケースの場合、膨張弁７が開いて当該膨張弁７により蒸発器６に冷媒が供給されている状態を意味する。
【００４９】
次に、メインコントローラ１１はステップＳ２で今後の稼働状態を計画する。この実施例の場合ステップＳ２では、メインコントローラ１１は前述の如くグループ分けした各グループ（１）〜（３）のショーケース２Ａ〜２Ｄの蒸発器６への冷媒供給（稼働）が、各グループ単位で時系列的に分離される運転スケジュールを作成する。図３はこの場合の運転スケジュールを説明する図である。図３の左側に示すようにそのままであれば各グループ（１）〜（３）が重複しながら稼働する状況の場合、それを右側に示すように先ずグループ（１）を稼働、次にグループ（２）を二度稼働、次にグループ（３）を稼働、次にグループ（１）を稼働、次にグループ（２）を稼働、次にグループ（３）を稼働というように各グループ単位で重ならないように分離して再配置され、且つ、その下側に対応させて示すように、低圧圧力設定値を前述した理想的な値にリアルタイムで変更するべく、グループ（１）の稼働時には低圧圧力設定値を当該グループ（１）の蒸発温度０℃に適した値（前述した０．５ＭＰａ）とし、グループ（２）の稼働時には低圧圧力設定値を当該グループ（２）の蒸発温度−１０℃に適した値（前述した０．４ＭＰａ）とし、グループ（３）の稼働時には低圧圧力設定値を当該グループ（３）の蒸発温度−２０℃に適した値（前述した０．３ＭＰａ）とするスケジュールを作成する。
【００５０】
尚、このステップＳ２における稼働状態の計画に当たり、メインコントローラ１１は上述の如くそのときに稼働（蒸発器６に冷媒を供給）しているグループの蒸発温度に適した低圧圧力設定値で圧縮機３を運転した場合に、消費電力が削減される方向、実施例では最も消費電力が少なくなり、省エネルギーとなる方向で運転スケジュールを作成する。
【００５１】
メインコントローラ１１はこのように作成（再配置）した運転スケジュールにおける予
定時刻に各グループのショーケース２Ａ〜２Ｄの蒸発器６に冷媒が供給される（稼働する）よう、ステップＳ３で計画達成のための協調指示データを作成する。この場合の協調指示データは実施例では、
・各グループ（１）〜（３）のショーケース２Ａ〜２Ｄの稼働（蒸発器６への冷媒供給）時期をグループ単位で時系列的にできるだけ前にシフトする前方大シフト要求、
・稼働時期を時系列的に少し前シフトする前方小シフト要求、
・稼働時期を時系列的にそのままとするシフト無要求、
・稼働時期を時系列的に少し後にシフトする後方小シフト要求、及び、
・稼働時期を時系列的にできるだけ後にシフトする後方大シフト要求、
の五種類のシフト要求とされている。
【００５２】
上記前方大シフト要求は、例えば前述したディファレンシャルを大幅に狭くすること、前方小シフト要求は、ディファレンシャルを少し狭くすること、後方小シフト要求は、ディファレンシャルを少し広くすること、後方大シフト要求は、ディファレンシャルを大幅に広くすることであるが、稼働時期を時系列的に前後に移動させることができる方策であれば、これに限定されるものでは無い。
【００５３】
また、このステップＳ３における運転スケジュール（計画）を達成するための協調指示データの作成処理に当たっては、メインコントローラ１１は運転スケジュールの最適化アルゴリズムとして遺伝的アルゴリズムを行う。この遺伝的アルゴリズムとは、上述のシフト要求の組み合わせを複数の遺伝子群として、一般的な遺伝的アルゴリズムの複製、突然変異等の処理を行い、数サイクルから数百サイクル（１サイクルとは各ショーケース２Ａ〜２Ｄに対して協調指示を出してからその結果がでるまでを意味する）のシミュレーションを行うことで、最適な運転結果（最も省エネルギーとなるパターン）をもたらす協調指示の組み合わせを求めて今回の協調指示とすることである。係る遺伝的アルゴリズムによれば、実用的な計算量で最適に近い運転結果（パターン）を導き出すことが可能となる。
【００５４】
次に、メインコントローラ１１はこのように決定した協調指示データを、運転指示データとしてステップＳ４で各グループ（１）のショーケース２Ａ、２Ｂ、グループ（２）のショーケース２Ｃ、グループ（３）のショーケース２Ｄ宛にそれぞれ配信する。この実施例の場合には、前述した如く図３の右側に示すように先ずグループ（１）が稼働、次にグループ（２）が二度稼働、次にグループ（３）が稼働、次にグループ（１）が稼働、次にグループ（２）が稼働、次にグループ（３）が稼働する運転スケジュールを実現するため、グループ（１）のショーケース２Ａ、２Ｂのショーケースコントローラ１２には、例えば前述した前方大シフト要求が送信され、グループ（２）のショーケース２Ｃのショーケースコントローラ１２には、例えば前述した前方小シフト要求が送信され、グループ（３）のショーケース２Ｄには、例えば前述した後方大シフト要求の協調指示データがそれぞれ送信される。
【００５５】
各ショーケース２Ａ〜２Ｄのショーケースコントローラ１２は、メインコントローラ１１から送信されたシフト要求の協調指示データに基づき、ディファレンシャルを変更する等して膨張弁７等の制御を実行する。この実施例の場合、グループ（１）のショーケース２Ａ、２Ｂのショーケースコントローラ１２には前方大シフト要求が送信されるので、ショーケース２Ａ、２Ｂのディファレンシャルは大幅に狭くなり、庫内温度が上昇した場合には早期に上限温度に達するようになるため、稼働時期（膨張弁７が開く時期）は時系列的に大きく前にシフトされることになる。また、グループ（２）のショーケース２Ｃのショーケースコントローラ１２には前方小シフト要求が送信されるので、ショーケース２Ｃのディファレンシャルは少し狭くなり、同様の理由で稼働時期は時系列的に少し前にシフトされることになる。他方、グループ（３）のショーケース２Ｄのショーケースコントローラ１２には後方大シフト要求が送信されるので、庫内温度が上昇しても上限温度に達す
る時間が遅れるため、稼働時期は時系列的に大きく後ろにシフトされることになる。
【００５６】
このような制御が繰り返されることにより、グループ（１）のショーケース２Ａ、２Ｂは早く稼働し、グループ（２）のショーケース２Ｃは次に稼働し、ショーケース２Ｄは最後に稼働する方向で実際の各ショーケース２Ａ〜２Ｄの稼働時期がグループ単位で変化していき、再配置されていくことになる。
【００５７】
メインコントローラ１１は、前述した如く低圧圧力設定値を理想的な値にリアルタイムで変更する。即ち、グループ（１）が稼働している時には低圧圧力設定値を当該グループ（１）の蒸発温度０℃に適した値（前述した０．５ＭＰａ）とし、グループ（２）が稼働している時には低圧圧力設定値を当該グループ（２）の蒸発温度−１０℃に適した値（前述した０．４ＭＰａ）とし、グループ（３）が稼働している時には低圧圧力設定値を当該グループ（３）の蒸発温度−２０℃に適した値（前述した０．３ＭＰａ）とする低圧指示値の運転指示データを作成し、冷凍機４の冷凍機コントローラ１３に送信する。冷凍機コントローラ１３は受信した低圧指示値の低圧圧力設定値に基づいて圧縮機３の運転周波数を制御することになる。
【００５８】
また、メインコントローラ１１はステップＳ５で、各ショーケース２Ａ〜２Ｄのショーケースコントローラ１２からの運転状態に関するデータに基づき、そのときに稼働（膨張弁７開）しているグループに適した値に低圧圧力設定値を変更する。そして、この低圧圧力設定値を低圧指示値として決定し、冷凍機コントローラ１３に送信する。冷凍機コントローラ１３は受信した低圧圧力設定値に基づいて圧縮機３の運転周波数を制御することになる。
【００５９】
次に、メインコントローラ１１はステップＳ６で、各ショーケース２Ａ〜２Ｄのショーケースコントローラ１２からの運転状態に関するデータに基づき、前述した稼働状態予測に使用する各データ（補正値）を更新する。そして、ステップＳ７で各ショーケース２Ａ〜２Ｄのショーケースコントローラ１２にステップＳ５で決定した低圧圧力設定値を配信する。各ショーケースコントローラ１２は配信された低圧圧力設定値を参考として、制御を実行する。尚、図２においてステップＳ５に入っている別トリガとは、所定の短い期間（例えば１０秒）毎に低圧圧力設定値を変更するためのトリガである。
【００６０】
以上のように本発明ではメインコントローラ１１が、各ショーケース２Ａ〜２Ｄを蒸発温度でグループ分けし、各グループ（１）〜（３）のショーケース２Ａ〜２Ｄの運転状況に基づき、蒸発器６に冷媒が供給されているグループ（１）〜（３）の蒸発温度に適した値に低圧圧力設定値を変更するようにしたことにより、冷媒が供給されているショーケースのグループの蒸発温度に適した低圧圧力設定値とすることができるようになる。
【００６１】
これにより、蒸発器６おける冷媒の蒸発温度が異なる複数のショーケース２Ａ〜２Ｄに共通の圧縮機３から冷媒を供給する場合にも、各ショーケース２Ａ〜２Ｄの冷却運転を支障無く実行しながら、過剰に低い低圧圧力で運転されることによる運転効率の低下を解消若しくは抑制することができるようになる。
【００６２】
特に、メインコントローラ１１は、蒸発器６への冷媒供給が各グループ単位で行われ、且つ、消費電力が削減される方向で、各グループ単位の運転スケジュールを作成するので、消費電力が削減されるように積極的に各グループ（１）〜（３）のショーケース２Ａ〜２Ｄの蒸発器６への冷媒供給をスケジュールし、効果的な運転効率の向上を実現することが可能となる。
【００６３】
この場合、実施例のようにメインコントローラ１１が、各グループ（１）〜（３）のシ
ョーケース２Ａ〜２Ｄの蒸発器６への冷媒供給（稼働）が、各グループ単位で時系列的に分離されるような運転スケジュールを作成するようにしたので、各グループ（１）〜（３）の蒸発温度に適した低圧圧力設定値への切り換えを的確に実行することができるようになる。
【００６４】
また、メインコントローラ１１により、各グループ（１）〜（３）の蒸発温度と、各グループ（１）〜（３）を構成するショーケース２Ａ〜２Ｄの庫内温度の状況、運転率、霜取運転の状況のうちの何れか、若しくは、全てを含む運転状況との組み合わせに基づいて運転スケジュールを作成するようにし、更に、運転スケジュールの作成処理として遺伝的アルゴリズムを行うようにしているので、より的確な運転スケジュールの作成を実現することが可能となる。
【００６５】
更に、実施例では本発明における制御手段を、メインコントローラ１１と、各ショーケース２Ａ〜２Ｄにそれぞれ設けられたショーケースコントローラ１２と、圧縮機３を備える冷凍機４に設けられた冷凍機コントローラ１３とから構築し、メインコントローラ１１が各ショーケースコントローラ１２と冷凍機コントローラ１３から運転状況に関するデータを受信し、それらに運転スケジュール及び低圧圧力設定値を含む運転指示データを送信することにより、各ショーケース２Ａ〜２Ｄ及び冷凍機４を集中制御するようにしているので、複数のショーケース２Ａ〜２Ｄと共通の圧縮機３を備える冷凍機４とから構成される冷凍装置１の運転効率の改善を的確、且つ、円滑に実現することが可能となる。
【実施例２】
【００６６】
次に、図５は図２のステップＳ２においてメインコントローラ１１が作成する運転スケジュールの他の実施例を示している。図３の例では各グループ（１）〜（３）をグループ単位で時系列的に分離する場合について説明したが、各ショーケース２Ａ〜２Ｄ全体の運転率から計算して完全には分離できない場合も発生する。そのような場合には、異なるグループを同時に稼働（蒸発器６へ冷媒を供給する）することになるが、メインコントローラ１１は蒸発温度が近いグループ、例えば、グループ（１）と（２）、グループ（２）と（３）が同時に稼働されるような運転スケジュールを作成する。
【００６７】
図５はこの場合の運転スケジュールを説明する図である。図５の左側に示すように、前述同様そのままであれば各グループ（１）〜（３）が重複しながら稼働する状況の場合、それを右側に示すように先ずグループ（１）を稼働、次にグループ（２）を稼働、次にグループ（３）を稼働、次にグループ（２）と（３）を同時に稼働、次にグループ（１）を稼働、次にグループ（２）と（３）を同時に稼働というように各グループ単位でできるだけ重ならないように分離しながら、どうしても分離できない場合には、蒸発温度−１０℃と−２０℃というように近いグループ（２）とグループ（３）を同時に稼働させる運転スケジュールを作成する。
【００６８】
尚、その場合にも下側に対応させて示すように、低圧圧力設定値を前述した理想的な値にリアルタイムで変更するべく、グループ（１）の稼働時には低圧圧力設定値を当該グループ（１）の蒸発温度０℃に適した値（前述した０．５ＭＰａ）とし、グループ（２）のみの稼働時には低圧圧力設定値を当該グループ（２）の蒸発温度−１０℃に適した値（前述した０．４ＭＰａ）とし、グループ（３）のみの稼働時には低圧圧力設定値を当該グループ（３）の蒸発温度−２０℃に適した値（前述した０．３ＭＰａ）にするスケジュールとする。
【００６９】
更に、グループ（２）とグループ（３）とを同時に稼働（蒸発器６に冷媒を供給）する場合には、蒸発温度が低い方のグループ、この場合にはグループ（３）の蒸発温度に適した低圧圧力設定値（蒸発温度−２０℃に適した低圧圧力設定値である０．３ＭＰａ）にす
るスケジュールとする。その他は前述の実施例と同様である。
【００７０】
このように、異なる複数のグループのショーケース２Ａ〜２Ｄの蒸発器６への冷媒供給を同時に行う必要がある場合、メインコントローラ１１は蒸発温度が近いグループのショーケース２Ａ〜２Ｄの蒸発器６への冷媒供給（稼働）が同時に行われる運転スケジュールを作成するので、各グループ（１）〜（３）のショーケース２Ａ〜２Ｄの蒸発器６への冷媒供給を時系列的に分離できない場合にも、蒸発温度が近いグループのショーケース２Ａ〜２Ｄの蒸発器６への冷媒供給を同時に行うことによって、できるだけ適切な低圧圧力設定値による圧縮機３の運転制御を実現することが可能となる。
【００７１】
また、複数のグループのショーケース２Ａ〜２Ｄの蒸発器６への冷媒供給を同時に行う場合、メインコントローラ１１が低い方のグループの蒸発温度に適した値に低圧圧力設定値を変更するので、より低い蒸発温度を必要とするショーケース２Ｃ、２Ｄの冷却運転も支障無く実行することが可能となる。
【実施例３】
【００７２】
次に、図６は図２のステップＳ２においてメインコントローラ１１が作成する運転スケジュールのもう一つの他の実施例を示している。図５の例では異なるグループ（１）〜（３）を同時に稼働しなければならない場合に、蒸発温度が近いグループ（実施例２ではグループ（２）と（３））を稼働するようにしたが、例えば蒸発温度が低いグループ（３）の運転率が高くて分離できない場合には、当該グループ（３）の稼働を断続的に行うよりも、連続して実行した方が効率が良くなる場合も発生する。そのような場合には、係る蒸発温度が低いグループ（３）を、より蒸発温度が高い他のグループ（１）や（２）の稼働に加えて実行するような運転スケジュールを作成する。
【００７３】
図６はこの場合の運転スケジュールを説明する図である。図６の左側に示すように、蒸発温度が低いグループ（３）の運転率が高く、そのままであれば他のグループ（１）、（２）と長い時間に渡って重複しながら稼働する状況の場合、それを右側に示すように先ずグループ（１）を稼働、次にグループ（２）を稼働、そのグループ（２）の稼働が終了しないうちにグループ（３）の稼働を開始し、その間にグループ（１）を稼働、その後、グループ（２）を稼働、このグループ（２）の稼働終了後にグループ（３）の稼働を終了というように蒸発温度が高いグループ（１）や（２）の稼働（蒸発器６への冷媒供給）に加えて蒸発温度が低いグループ（３）を稼働させる運転スケジュールを作成する。
【００７４】
尚、グループ（１）のみの稼働時には、その下側に示すようにその蒸発温度０℃に適した低圧圧力設定値（前述した０．５ＭＰａ）とする。また、蒸発温度が離れたグループ（１）と（３）が同時に稼働する期間では、その下側に示すように低い方の蒸発温度である−２０℃に適した低圧圧力設定値（前述した０．３ＭＰａ）とする。
【００７５】
しかしながら、グループ（３）の稼働中、当該グループ（３）に蒸発温度が近いグループ（２）を稼働する場合には、その下側に対応させて示すように、最も蒸発温度が低いグループ（３）よりも高いグループ（２）の蒸発温度に適した低圧圧力設定値（前述した０．４ＭＰａ）とする。即ち、蒸発温度が近いグループ（２）とグループ（３）が同時に稼働する期間（矢印で示す）では、その下側に対応させて示すように蒸発温度−２０℃に適した低圧圧力設定値では無く、より高い蒸発温度である−１０℃に適した低圧圧力設定値にするスケジュールとする。その他は前述と同様である。
【００７６】
このように、蒸発温度が低いグループ（３）のショーケース２Ｄの運転率が高い状況では、当該グループ（３）のショーケース２Ｄの蒸発器６への冷媒供給（稼働）を、より蒸発温度が高いグループ（１）、（２）のショーケース２Ａ〜２Ｃの蒸発器６への冷媒供給
（稼働）に加えて連続して行う方が、蒸発温度が低いグループ（３）の運転効率は高くなるが、係る場合にメインコントローラ１１は低い蒸発温度よりも高い蒸発温度に適した値に低圧圧力設定値を変更するので、蒸発温度が高いグループ（１）や（２）の運転効率の低下も抑制することができるようになり、総じて高い運転効率を実現することが可能となる。
【実施例４】
【００７７】
次に、図７は図２のステップＳ２においてメインコントローラ１１が作成する運転スケジュールの更にもう一つの他の実施例を示している。図３の例では各グループ（１）〜（３）の稼働を時系列的に分離する方向で運転スケジュールを作成したが、冬季等の如く各ショーケース２Ａ〜２Ｄの運転率が低下する状況では、圧縮機３の運転／停止を頻繁に行うよりも、各ショーケース２Ａ〜２Ｄをできるだけ同時に稼働（蒸発器６への冷媒供給）した方が効率が良くなる。
【００７８】
図７はこの場合の運転スケジュールを説明する図である。図７の左側に示すように、各グループ（１）〜（３）が間隔をおいて単発的に稼働するような低運転率状況の場合、それを右側に示すように全てのグループ（１）〜（３）を同時に稼働（蒸発器６への冷媒供給）させ、次には少許ずらしながら全てのグループ（１）〜（３）を同時に稼働させる運転スケジュールを作成する。
【００７９】
尚、図７右側の最初の稼働タイミングでは全てのグループ（１）〜（３）が完全に重なっている。その場合には、最も蒸発温度が低いグループ（３）に適した低圧圧力設定値（前述した０．３ＭＰａ）とする。また、次の稼働タイミングでは、各グループ（１）〜（３）が少しずつずれながら重なっている。そこで、グループ（１）のみの期間では低圧圧力設定値をグループ（１）の蒸発温度に適した値（前述した０．５ＭＰａ）とし、グループ（１）と（２）が重なっている期間は蒸発温度が低い方のグループ（２）の蒸発温度に適した値（前述した０．４ＭＰａ）とし、グループ（２）と（３）が重なっている期間は蒸発温度が低い方のグループ（３）の蒸発温度に適した値（前述した０．３ＭＰａ）とする。
【００８０】
このように、冬季等に運転率が低下する状況では、圧縮機３の運転／停止を頻繁に行うよりも、メインコントローラ１１により、全てのグループ（１）〜（３）のショーケース２Ａ〜２Ｄの蒸発器６への冷媒供給（稼働）が同時に行われる運転スケジュールを作成することで、運転効率の改善を図ることができるようになる。
【実施例５】
【００８１】
尚、上記各実施例ではメインコントローラ１１から送信される運転指示データのシフト要求に基づいて各グループ（１）〜（３）のショーケース２Ａ〜２Ｄのショーケースコントローラ１２が制御することで稼働時期が再配置されるようにしたが、それに限らず、各ショーケース２Ａ〜２Ｄの稼働開始時刻（膨張弁７が開く時刻）、又は、稼働開始と稼働終了時刻（膨張弁７が開いて閉じる時刻）が各グループ（１）〜（３）毎に決定された運転スケジュールをメインコントローラ１１が作成し、それを各ショーケースコントローラ１２に送信し、ショーケースコントローラ１２は受信した稼働開始時刻に自らのショーケース２Ａ〜２Ｄの膨張弁７を開くというメインコントローラ１１による直接的な制御であってもよい。
【００８２】
その場合には、メインコントローラ１１は各ショーケース２Ａ〜２Ｄの稼働時期が分かっているので、各ショーケース２Ａ〜２Ｄの稼働状態（運転状態）を確認すること無く、予め決定された運転スケジュールに基づいて最適な低圧圧力設定値の低圧指示値を作成し、冷凍機コントローラ１３に送信することができる。
【００８３】
但し、この実施例の場合には各ショーケース２Ａ〜２Ｄの独自の温度制御が後回しとなるため、例えば庫内温度が許容できない程の高温状態になった場合は、稼働を許可し、或いは、庫内温度が異常に低い場合には稼働を禁止する等のショーケースコントローラ１２による独自の制御を加えると良い。
【実施例６】
【００８４】
逆に、メインコントローラ１１が運転スケジュールを作成せず、そのときに稼働（膨張弁７が開いて蒸発器６に冷媒が供給）しているグループ（１）〜（３）のショーケース２Ａ〜２Ｄの蒸発温度に適した低圧圧力設定値に変更するのみであっても請求項１の発明は有効である。その場合にも、例えばグループ（１）と（２）や、グループ（１）又は（２）とグループ（３）のショーケースが同時に稼働しているときには、より低い方の蒸発温度に適した低圧圧力設定値を選択すると良い。
【符号の説明】
【００８５】
１  冷凍装置
２Ａ〜２Ｄ  ショーケース
３  圧縮機
４  冷凍機
６  蒸発器
７  膨張弁
１１  メインコントローラ（制御手段）
１２  ショーケースコントローラ（制御手段）
１３  冷凍機コントローラ（制御手段）
Ｒ  冷媒回路
【図１】
2014219149.tif 000003
【図２】
2014219149.tif 000004
【図３】
2014219149.tif 000005
【図４】
2014219149.tif 000006
【図５】
2014219149.tif 000007
【図６】
2014219149.tif 000008
【図７】
2014219149.tif 000009